(57)【要約】  【課題】  接続ケーブルを介して接続された第１電気機器及び第２電気機器の接続を、接続ケーブルを抜き挿しすることなく回路的に行なう電気機器システム、電気機器、接続制御方法を提供する。  【解決手段】  ホスト機器２のマイコン２１は、ユーザから端末機器１との接続を切断する指示を受け付けた場合、端末機器１へホスト機器２との接続を切断する切断指示を送出する。端末機器１のマイコン１１は、ホスト機器２から切断指示を取得した場合、スイッチＳＷを開放させて接続部１ａの電源端子と抵抗Ｒ１とを切断させる。また、ホスト機器２との接続が切断された端末機器１のマイコン１１は、ユーザによって接続用ボタン１２が押下された場合、スイッチＳＷを閉鎖させて接続部１ａの電源端子と抵抗Ｒ１とを接続させる。【選択図】      図１
2006235993.tif 000002
【特許請求の範囲】
【請求項１】
第１電気機器の第１接続部及び第２電気機器の第２接続部を、データ線を含む接続ケーブルで接続してある電気機器システムにおいて、
前記第１電気機器は、
第２電気機器との接続を切断する切断指示を受け付ける受付手段と、
該受付手段が切断指示を受け付けた場合、前記第１接続部から前記切断指示を送出する手段とを有し、
前記第２電気機器は、
一端が第２接続部を介して前記接続ケーブルのデータ線に接続され、他端が電源に接続されている負荷部と、
該負荷部の他端及び電源の間に設けられ、前記他端及び電源の接続及び切断の切替を行なう切替部と、
前記第２接続部から前記切断指示を取得した場合、前記負荷部の他端及び電源を切断するように前記切替部の切替制御を行なう手段とを有していることを特徴とする電気機器システム。
【請求項２】
データ線を含む接続ケーブルとの接続を行なう接続部を備える電気機器において、
一端が前記接続部を介して接続ケーブルのデータ線に接続され、他端が電源に接続されている負荷部と、
該負荷部の他端及び電源の間に設けられ、前記他端及び電源の接続及び切断の切替を行なう切替部と、
前記接続部から前記接続ケーブルとの接続を切断する切断指示を取得する手段と、
前記切断指示を取得した場合、前記負荷部の他端及び電源を切断するように前記切替部の切替制御を行なう手段と
を備えることを特徴とする電気機器。
【請求項３】
データ線を含む接続ケーブルとの接続を行なう接続部を備える電気機器において、
一端が前記接続部を介して接続ケーブルのデータ線に接続され、他端が電源に接続されている負荷部と、
該負荷部の他端及び電源の間に設けられ、前記他端及び電源の接続及び切断の切替を行なう切替部と、
前記接続ケーブルとの接続を指示する接続指示を受け付ける受付手段と、
該受付手段が接続指示を受け付けた場合、前記負荷部の他端及び電源を接続するように前記切替部の切替制御を行なう手段と
を備えることを特徴とする電気機器。
【請求項４】
データ線を含む接続ケーブルを介した第１電気機器の第１接続部及び第２電気機器の第２接続部の接続を制御する接続制御方法において、
前記第２電気機器は、一端が第２接続部を介して前記接続ケーブルのデータ線に接続され、他端が電源に接続されている負荷部、及び該負荷部の他端及び電源の間に設けられ、前記他端及び電源の接続及び切断の切替を行なう切替部を有しており、
前記第１電気機器が、第２電気機器との接続を切断する切断指示を受け付けるステップと、
前記第１電気機器が、前記切断指示を受け付けた場合、前記第１接続部から前記切断指示を送出するステップと、
前記第２電気機器が、前記切断指示を取得した場合、前記負荷部の他端及び電源を切断するように前記切替部の切替制御を行なうステップと
を含むことを特徴とする接続制御方法。
【請求項５】
データ線を含む接続ケーブルを介した第１電気機器の第１接続部及び第２電気機器の第２接続部の接続を制御する接続制御方法において、
前記第２電気機器は、一端が第２接続部を介して前記接続ケーブルのデータ線に接続され、他端が電源に接続されている負荷部、及び該負荷部の他端及び電源の間に設けられ、前記他端及び電源の接続及び切断の切替を行なう切替部を有しており、
前記第２電気機器が、第１電気機器との接続を指示する接続指示を受け付けるステップと、
前記第２電気機器が、前記接続指示を受け付けた場合、前記負荷部の他端及び電源を接続するように前記切替部の切替制御を行なうステップと
を含むことを特徴とする接続制御方法。
【発明の詳細な説明】
【技術分野】
【０００１】
本発明は、接続ケーブルとの接続が可能な第１電気機器及び第２電気機器を接続ケーブルを介して接続してある電気機器システム、該電気機器システムに利用される電気機器、及び前記電気機器システムにおいて接続ケーブルを介した第１電気機器及び第２電気機器の接続を制御する接続制御方法に関する。
【背景技術】
【０００２】
パーソナルコンピュータに、キーボード、マウス、モデム、デジタルカメラ等の周辺機器を接続するためのケーブルとして、パーソナルコンピュータ及び周辺機器の電源を切らずに挿抜可能なＵＳＢ（Universal Serial Bus）ケーブルが利用されている。ＵＳＢケーブルを介してパーソナルコンピュータ（ホスト機器）に接続される周辺機器（端末機器）は、独自に電源を確保することができない場合、ＵＳＢケーブルの給電線を介してホスト機器から電力の供給を受けるように構成されている。
【０００３】
また、ホスト機器は、ＵＳＢケーブルのデータ線の電圧レベルに基づいて、ＵＳＢケーブルを介して端末機器が接続されたか否かを検出するように構成されている。具体的には、ホスト機器は、ＵＳＢケーブルを介して端末装置が接続された場合、ＵＳＢケーブルのデータ線の電圧レベルの変化を検出し、検出した電圧レベルの変化に基づいて端末機器が接続されたことを検出することができる。従って、ユーザがＵＳＢケーブルを介して端末機器をホスト機器に接続するだけで、ホスト機器は端末機器との接続を認識することができ、端末機器との間でのデータの送受信を開始することができる。
【０００４】
一般的にホスト機器は、ＵＳＢケーブルを介して端末機器が接続されている場合、接続されていない場合と比較して消費電力が増大する。従って、ホスト機器における消費電力を低減させるために、ユーザは、端末機器が不要となった場合に、ホスト機器と端末機器とを切断する必要がある。即ち、ユーザは、ＵＳＢケーブルを端末機器又はホスト機器から抜き取る必要がある。そこで、ホスト機器からの命令に従ってＵＳＢケーブルとの接続を切断した状態とすることによって、消費電力を低減するように構成された端末機器が提案されている（例えば、特許文献１参照）。
【特許文献１】特開２００３−１４０７８４号公報
【発明の開示】
【発明が解決しようとする課題】
【０００５】
しかし、特許文献１で開示された機器において、一旦ＵＳＢケーブルとの接続が切断された状態から再度ＵＳＢケーブルを介してホスト機器に接続したい場合、ユーザがＵＳＢケーブルをホスト機器又は端末機器から抜き挿しして挿し直す必要がある。従って、例えばホスト機器のＵＳＢケーブルとの接続口がホスト機器の背面側に設けられている場合には、ホスト機器からＵＳＢケーブルを抜き取る作業が煩雑となるという問題を有している。
【０００６】
本発明は斯かる事情に鑑みてなされたものであり、その目的とするところは、端末機器内部の切替部によって接続ケーブルと端末機器とを切断することにより、接続ケーブルをホスト機器又は端末機器から実際に抜き取ることなく、接続ケーブルを介したホスト機器及び端末機器の接続を切断することが可能な電気機器システム、該電気機器システムに利用される電気機器、及び前記電気機器システムにおいて接続ケーブルを介したホスト機器及び端末機器の接続を制御する接続制御方法を提供することにある。
【０００７】
本発明の他の目的は、端末機器内部の切替部によって接続ケーブルと端末機器とを接続することにより、接続ケーブルをホスト機器又は端末機器から実際に挿し込むことなく、接続ケーブルを介してホスト機器及び端末機器を接続することが可能な電気機器システム、該電気機器システムに利用される電気機器、及び前記電気機器システムにおいて接続ケーブルを介したホスト機器及び端末機器の接続を制御する接続制御方法を提供することにある。
【課題を解決するための手段】
【０００８】
本発明に係る電気機器システムは、第１電気機器の第１接続部及び第２電気機器の第２接続部を、データ線を含む接続ケーブルで接続してある電気機器システムにおいて、前記第１電気機器は、第２電気機器との接続を切断する切断指示を受け付ける受付手段と、該受付手段が切断指示を受け付けた場合、前記第１接続部から前記切断指示を送出する手段とを有し、前記第２電気機器は、一端が第２接続部を介して前記接続ケーブルのデータ線に接続され、他端が電源に接続されている負荷部と、該負荷部の他端及び電源の間に設けられ、前記他端及び電源の接続及び切断の切替を行なう切替部と、前記第２接続部から前記切断指示を取得した場合、前記負荷部の他端及び電源を切断するように前記切替部の切替制御を行なう手段とを有していることを特徴とする。
【０００９】
本発明に係る電気機器は、データ線を含む接続ケーブルとの接続を行なう接続部を備える電気機器において、一端が前記接続部を介して接続ケーブルのデータ線に接続され、他端が電源に接続されている負荷部と、該負荷部の他端及び電源の間に設けられ、前記他端及び電源の接続及び切断の切替を行なう切替部と、前記接続部から前記接続ケーブルとの接続を切断する切断指示を取得する手段と、前記切断指示を取得した場合、前記負荷部の他端及び電源を切断するように前記切替部の切替制御を行なう手段とを備えることを特徴とする。
【００１０】
本発明に係る電気機器は、データ線を含む接続ケーブルとの接続を行なう接続部を備える電気機器において、一端が前記接続部を介して接続ケーブルのデータ線に接続され、他端が電源に接続されている負荷部と、該負荷部の他端及び電源の間に設けられ、前記他端及び電源の接続及び切断の切替を行なう切替部と、前記接続ケーブルとの接続を指示する接続指示を受け付ける受付手段と、該受付手段が接続指示を受け付けた場合、前記負荷部の他端及び電源を接続するように前記切替部の切替制御を行なう手段とを備えることを特徴とする。
【００１１】
本発明に係る接続制御方法は、データ線を含む接続ケーブルを介した第１電気機器の第１接続部及び第２電気機器の第２接続部の接続を制御する接続制御方法において、前記第２電気機器は、一端が第２接続部を介して前記接続ケーブルのデータ線に接続され、他端が電源に接続されている負荷部、及び該負荷部の他端及び電源の間に設けられ、前記他端及び電源の接続及び切断の切替を行なう切替部を有しており、前記第１電気機器が、第２電気機器との接続を切断する切断指示を受け付けるステップと、前記第１電気機器が、前記切断指示を受け付けた場合、前記第１接続部から前記切断指示を送出するステップと、前記第２電気機器が、前記切断指示を取得した場合、前記負荷部の他端及び電源を切断するように前記切替部の切替制御を行なうステップとを含むことを特徴とする。
【００１２】
本発明に係る接続制御方法は、データ線を含む接続ケーブルを介した第１電気機器の第１接続部及び第２電気機器の第２接続部の接続を制御する接続制御方法において、前記第２電気機器は、一端が第２接続部を介して前記接続ケーブルのデータ線に接続され、他端が電源に接続されている負荷部、及び該負荷部の他端及び電源の間に設けられ、前記他端及び電源の接続及び切断の切替を行なう切替部を有しており、前記第２電気機器が、第１電気機器との接続を指示する接続指示を受け付けるステップと、前記第２電気機器が、前記接続指示を受け付けた場合、前記負荷部の他端及び電源を接続するように前記切替部の切替制御を行なうステップとを含むことを特徴とする。
【００１３】
本発明によれば、接続ケーブルを介して第１電気機器及び第２電気機器を接続してある電気機器システムにおいて、第２電気機器は、一端が接続ケーブルのデータ線に接続され、他端が電源に接続されている負荷部と、該負荷部の他端及び電源の間に設けられ、前記他端及び電源の接続及び切断の切替を行なう切替部とを有する。第１電気機器は、接続ケーブルを介した第２電気機器との接続を切断する切断指示を受け付けた場合、前記切断指示を第２電気機器へ送出し、第２電気機器は、前記切断指示を取得した場合、前記負荷部の他端及び電源を切断するように前記切替部の切替を制御する。よって、接続ケーブルを第１電気機器又は第２電気機器から実際に抜き取ることなく、前記切替部によって接続ケーブルと第２電気機器とを回路的に切断することが可能となる。
【００１４】
本発明によれば、接続ケーブルを介して第１電気機器及び第２電気機器を接続してある電気機器システムにおいて、第２電気機器は、一端が接続ケーブルのデータ線に接続され、他端が電源に接続されている負荷部と、該負荷部の他端及び電源の間に設けられ、前記他端及び電源の接続及び切断の切替を行なう切替部とを有する。第２電気機器は、接続ケーブルとの接続を指示する接続指示を受け付けた場合、前記負荷部の他端及び電源を接続するように前記切替部の切替を制御する。よって、接続ケーブルを第１電気機器又は第２電気機器に実際に挿し込み直すことなく、前記切替部によって接続ケーブルと第２電気機器とを回路的に接続することが可能となる。
【発明の効果】
【００１５】
本発明では、接続ケーブルを介して第２電気機器に接続可能な第１電気機器が、接続ケーブルとの接続を切断する切断指示を第２電気機器へ送出した場合、第２電気機器は、一端が接続ケーブルのデータ線に接続され、他端が電源に接続されている負荷部の他端及び電源の間に設けられた切替部によって前記負荷部の他端及び電源を切断する。よって、前記切替部によって接続ケーブルと第２電気機器とを切断することにより、接続ケーブルを第１電気機器又は第２電気機器から実際に抜き取ることなく、接続ケーブルを介した第１電気機器及び第２電気機器の接続を回路的に切断することができる。
【００１６】
本発明では、接続ケーブルを介して第１電気機器に接続可能な第２電気機器が、接続ケーブルとの接続を指示する接続指示を受け付けた場合、一端が接続ケーブルのデータ線に接続され、他端が電源に接続されている負荷部の他端及び電源の間に設けられた切替部によって前記負荷部の他端及び電源を接続する。よって、前記切替部によって接続ケーブルと第２電気機器とを接続することにより、接続ケーブルを第１電気機器又は第２電気機器に実際に挿し込み直すことなく、接続ケーブルを介して第１電気機器及び第２電気機器を回路的に接続することができる。
【発明を実施するための最良の形態】
【００１７】
以下に、本発明に係る電気機器システムをその実施形態を示す図面に基づいて詳述する。図１は本発明に係る電気機器システムの概略構成例を示すブロック図である。本実施形態の電気機器システム１００は、第１電気機器としてのホスト機器２と、第２電気機器としての端末機器１とを、接続ケーブルとしてのＵＳＢケーブル１００ａを介して接続することによって構成されている。なお、ホスト機器２としては例えばパーソナルコンピュータを用いることができ、端末機器１としてはキーボード、マウス、モデム、デジタルカメラ等の周辺機器を用いることができ、接続ケーブルはＵＳＢケーブル１００ａに限定されない。また、以下では、端末機器１が独自に電源を確保することができない構成として説明するが、本発明はこの構成に限定されるものではない。
【００１８】
ＵＳＢケーブル１００ａは、ホスト機器２から端末機器１へ電力を供給するための給電線Ｖｂｕｓ及びグランド線ＧＮＤと、ホスト機器２及び端末機器１の間でデータ送受信を行なうためのデータ線Ｄ＋及びデータ線Ｄ−とを有している。ＵＳＢケーブル１００ａとの接続が可能なホスト機器２は、給電線Ｖｂｕｓ、グランド線ＧＮＤ、データ線Ｄ＋，Ｄ−との接続をそれぞれ行なう電源端子、グランド端子、Ｄ＋端子及びＤ−端子を有する接続部（第１接続部）２ａを備えている。同様に、端末機器１も、給電線Ｖｂｕｓ、グランド線ＧＮＤ、データ線Ｄ＋，Ｄ−との接続をそれぞれ行なう電源端子、グランド端子、Ｄ＋端子及びＤ−端子を有する接続部（第２接続部）１ａを備えている。
【００１９】
ホスト機器２は、演算を行なうマイコン（マイクロコンピュータ）２１、ＵＳＢコントローラ２０、操作部２２、表示部２３等を主要構成要素として備えている。なお、ホスト機器２がパーソナルコンピュータであることにより備える他のハードウェア各部については説明を省略する。
【００２０】
マイコン２１は、ホスト機器２の制御中枢として動作し、相互に接続されているＵＳＢコントローラ２０、操作部２２、表示部２３等のハードウェア各部の動作を制御する。ＵＳＢコントローラ２０は、ＵＳＢケーブル１００ａを介して端末機器１とのデータ送受信を行なうためのインタフェースであり、接続部２ａのＤ＋端子及びＤ−端子と接続されている。これにより、ＵＳＢコントローラ２０は、マイコン２１からの制御に従ってデータ線Ｄ＋，Ｄ−を介して端末機器１へデータ（コマンド）の送受信を行なうことができる。
【００２１】
操作部２２は、ホスト機器２をユーザが操作するために必要な各種のキーを備えており、ユーザにより各キーが操作された場合、操作されたキーに対応した制御信号がマイコン２１へ送出される。これにより、マイコン２１は操作部２２から取得した制御信号に従って各種処理を実行することができる。表示部２３は、例えば液晶表示パネルからなる表示デバイスであり、ホスト機器２の動作状態、ユーザに対して通知すべき情報等の表示を行なう。
【００２２】
またホスト機器２は、接続部２ａの電源端子を電源Ｖｃｃに接続しており、接続部２ａのグランド端子をグランド（０Ｖ）ＧＮＤに接続している。更にホスト機器２は、一端が接続部２ａのＤ−端子に接続され、他端が電源Ｖｃｃに接続されている抵抗（プルアップ抵抗）Ｒ１と、一端が接続部２ａのＤ＋端子に接続され、他端がグランドＧＮＤに接続されている抵抗（プルダウン抵抗）Ｒ２とを備えている。
【００２３】
一方、端末機器１は、演算を行なうマイコン１１、ＵＳＢコントローラ１０、接続用ボタン１２等を主要構成要素として備えている。なお、端末機器１がキーボード、マウス、モデム、デジタルカメラ等の周辺機器であることにより備える他のハードウェア各部については説明を省略する。
【００２４】
マイコン１１は、端末機器１の制御中枢として動作し、相互に接続されているＵＳＢコントローラ１０等の動作を制御する。ＵＳＢコントローラ１０は、ＵＳＢケーブル１００ａを介してホスト機器２とのデータ送受信を行なうためのインタフェースであり、接続部１ａのＤ＋端子及びＤ−端子と接続されている。これにより、ＵＳＢコントローラ１０は、マイコン１１からの制御に従ってデータ線Ｄ＋，Ｄ−を介してホスト機器２へデータの送受信を行なうことができる。
【００２５】
端末機器１は、接続部１ａのグランド端子をグランドＧＮＤに接続している。また端末機器１は、一端が接続部１ａのＤ＋端子に接続され、他端が接続部１ａの電源端子に接続されている抵抗（プルアップ抵抗）（負荷部）Ｒ１と、一端が接続部１ａのＤ−端子に接続され、他端がグランドＧＮＤに接続されている抵抗（プルダウン抵抗）Ｒ２とを備えている。更に、端末機器１は、接続部１ａの電源端子と抵抗Ｒ１との間に開閉を行なうスイッチ（切替部）ＳＷを設けており、マイコン１１からの制御に従って接続部１ａの電源端子と抵抗Ｒ１との回路的な接続及び切断の切り替えを行なうことができる。
【００２６】
なお、端末機器１に設けられる抵抗Ｒ１は、抵抗単体に限られず、例えばコンデンサ及びコイル等の抵抗と等価な素子及び回路、内部抵抗を有する素子及び回路であってもよく、また、抵抗として動作するように構成された各種の素子及び回路等であってもよい。
【００２７】
上述した構成の電気機器システム１００において、ＵＳＢケーブル１００ａを介して端末機器１をホスト機器２へ接続させた場合、ＵＳＢケーブル１００ａの給電線Ｖｂｕｓを介してホスト機器２から端末機器１へ電力が供給されるため、端末機器１の抵抗Ｒ１が所定電圧にプルアップされる。また、端末機器１の抵抗Ｒ１がプルアップされることによる接続部１ａのＤ＋端子の電圧が、ＵＳＢケーブル１００ａのデータ線Ｄ＋を介してホスト機器２のＤ＋端子に伝達され、これにより、ＵＳＢコントローラ２０は、ＵＳＢケーブル１００ａを介して端末機器１が接続されたことを検出することができる。
【００２８】
ここで、本実施形態の電気機器システム１００では、上述したようにＵＳＢケーブル１００ａを介して一旦接続されたホスト機器２及び端末機器１を、ＵＳＢケーブル１００ａを挿抜することなく切断し、また、必要に応じて接続することができる。具体的には、ホスト機器２のユーザは、ＵＳＢケーブル１００ａを介して接続した端末機器１が不要となった場合、表示部２３に表示される所定の画面に従って操作部２２を適切に操作することによりＵＳＢケーブル１００ａを介した端末機器１との接続を切断する指示を行なう。
【００２９】
ホスト機器２のマイコン２１は、ユーザから端末機器１との接続を切断する切断指示を受け付ける受付手段として動作しており、切断指示を受け付けた場合、接続部２ａのＤ＋端子及びＤ−端子から端末機器１へＵＳＢケーブル１００ａとの接続を切断する切断指示を送出する。端末機器１のＵＳＢコントローラ１０は、接続部１ａのＤ＋端子及びＤ−端を介して切断指示を受け付けた場合、マイコン１１へ通知し、マイコン１１は、スイッチＳＷを開放するように制御することによって接続部１ａの電源端子と抵抗Ｒ１とを切断させる。
【００３０】
一方、上述したようにスイッチＳＷを開放させることによってＵＳＢケーブル１００ａと端末機器１とを切断した状態で再度ＵＳＢケーブル１００ａを介してホスト機器２に端末機器１を接続したい場合、ユーザは、端末機器１の接続用ボタン１２を押下する。なお、接続用ボタン１２は、押下することによってオンすることができる押しボタン式であってもよく、スライドさせることによってオン・オフすることができるスライド式であってもよい。また、接続用ボタン１２は専用のボタンである必要はなく、ユーザが操作部（図示せず）を適切に操作することによってＵＳＢケーブル１００ａとの接続を指示できるように端末機器１が構成されておればよい。
【００３１】
端末機器１のマイコン１１は、ユーザによって接続用ボタン１２が押下された場合、ＵＳＢケーブル１００ａとの接続を指示する接続指示を受け付ける受付手段として動作しており、接続指示を受け付けた場合、スイッチＳＷを閉鎖するように制御することによって接続部１ａの電源端子と抵抗Ｒ１とを接続させる。これにより、端末機器１の抵抗Ｒ１が所定電圧にプルアップされ、抵抗Ｒ１がプルアップされることによる接続部１ａのＤ＋端子の電圧が、ＵＳＢケーブル１００ａのデータ線Ｄ＋を介してホスト機器２のＤ＋端子に伝達される。従って、ＵＳＢコントローラ２０は、ＵＳＢケーブル１００ａを介して端末機器１が接続されたことを検出することができ、端末機器１との間でデータを送受信することができる。
【００３２】
以下に、上述した構成の電気機器システム１００において、ＵＳＢケーブル１００ａを介して接続されているホスト機器２及び端末機器１の接続を切断する処理について説明する。図２は本発明に係る電気機器システム１００におけるホスト機器２及び端末機器１の切断処理の手順を示すフローチャートである。なお、以下の処理は、マイコン２１，１１に内蔵されているＲＯＭに格納されている制御プログラムに従ってマイコン２１，１１が実行する。
【００３３】
ホスト機器２及び端末機器１がＵＳＢケーブル１００ａを介して接続されている電気機器システム１００において、ホスト機器２のマイコン２１は、ユーザが操作部２２を適切に操作することによりＵＳＢケーブル１００ａを介した端末機器１との接続を切断する指示を受け付けたか否かを判断しており（Ｓ１）、切断する指示を受け付けていないと判断する場合（Ｓ１：ＮＯ）、通常動作を実行する。
【００３４】
マイコン２１は、端末機器１との接続を切断する指示を受け付けたと判断した場合（Ｓ１：ＹＥＳ）、接続部２ａのＤ＋端子及びＤ−端子からＵＳＢケーブル１００ａとの接続を切断する切断指示を端末機器１へ送出する（Ｓ２）。端末機器１のマイコン１１は、ＵＳＢコントローラ１０を介して接続部１ａのＤ＋端子及びＤ−端子が取得した切断指示を取得し（Ｓ３）、スイッチＳＷを開放するように制御することによって（Ｓ４）、接続部１ａの電源端子と抵抗Ｒ１とを切断させる。これにより、ＵＳＢケーブル１００ａをホスト機器２又は端末機器１から抜き取ることなく、ＵＳＢケーブル１００ａを介したホスト機器２及び端末機器１の接続を切断することができる。
【００３５】
以下に、上述した構成の電気機器システム１００において、スイッチＳＷを開放させることによってＵＳＢケーブル１００ａと端末機器１とを切断した状態から再度ＵＳＢケーブル１００ａを介してホスト機器２及び端末機器１を接続させる処理について説明する。図３は本発明に係る電気機器システム１００におけるホスト機器２及び端末機器１の接続処理の手順を示すフローチャートである。なお、以下の処理は、マイコン１１に内蔵されているＲＯＭに格納されている制御プログラムに従ってマイコン１１が実行する。
【００３６】
スイッチＳＷを開放させることによってＵＳＢケーブル１００ａとの接続が切断されている端末機器１において、マイコン１１は、ユーザが接続用ボタン１２を押下することによりＵＳＢケーブル１００ａとの接続を指示する接続指示を受け付けたか否かを判断しており（Ｓ１１）、接続指示を受け付けていないと判断する場合（Ｓ１１：ＮＯ）、通常動作を行なって待機する。
【００３７】
マイコン１１は、接続指示を受け付けたと判断した場合（Ｓ１１：ＹＥＳ）、スイッチＳＷが開放されているか否かを判断する（Ｓ１２）。マイコン１１は、スイッチＳＷが開放されていないと判断した場合（Ｓ１２：ＮＯ）、即ちスイッチＳＷが閉鎖されており、既にＵＳＢケーブル１００ａと接続されている場合、ホスト機器２に既に接続されている旨を図示しない通知手段からユーザに通知する（Ｓ１３）。なお、通知手段としては、通知メッセージの表示、音声の出力、警告ランプの点灯等が利用できる。
【００３８】
一方、マイコン１１は、スイッチＳＷが開放されていると判断した場合（Ｓ１２：ＹＥＳ）、スイッチＳＷを閉鎖するように制御することによって（Ｓ１４）、接続部１ａの電源端子と抵抗Ｒ１とを接続させる。このようにスイッチＳＷを閉鎖させた場合、端末機器１の抵抗Ｒ１が所定電圧にプルアップされ、接続部１ａのＤ＋端子の電圧が、ＵＳＢケーブル１００ａのデータ線Ｄ＋を介してホスト機器２のＤ＋端子に伝達される。従って、ホスト機器２のＵＳＢコントローラ２０は、ＵＳＢケーブル１００ａを介して端末機器１が接続されたことを検出することができ、ＵＳＢケーブル１００ａをホスト機器２又は端末機器１に挿し込むことなく、ＵＳＢケーブル１００ａを介してホスト機器２及び端末機器１を接続させることができる。
【図面の簡単な説明】
【００３９】
【図１】本発明に係る電気機器システムの概略構成例を示すブロック図である。
【図２】本発明に係る電気機器システムにおけるホスト機器及び端末機器の切断処理の手順を示すフローチャートである。
【図３】本発明に係る電気機器システムにおけるホスト機器及び端末機器の接続処理の手順を示すフローチャートである。
【符号の説明】
【００４０】
１００  電気機器システム
１００ａ  ＵＳＢケーブル（接続ケーブル）
１  端末機器（第２電気機器、電気機器）
１ａ  接続部（第２接続部、接続部）
１１  マイコン（受付手段）
Ｒ１  抵抗（負荷部）
ＳＷ  スイッチ（切替部）
２  ホスト機器（第１電気機器）
２ａ  接続部（第１接続部）
２１  マイコン（受付手段）
【図１】
2006235993.tif 000003
【図２】
2006235993.tif 000004
【図３】
2006235993.tif 000005